(57)【要約】【課題】蓄電素子を冷却する冷却媒体の流路を遮ることなく、蓄電素子を保持しつつ、蓄電素子に対する冷却性能を確保できる蓄電モジュールを提供することを課題とする。【解決手段】本発明に係る蓄電モジュールは、蓄電素子と、該蓄電素子に並んで配置される隣接部材とを備え、該隣接部材は、蓄電素子と面対向する本体と、該本体から蓄電素子側に延出する延出部と、該延出部の先端側に設けられる保持部であって、本体と協働して蓄電素子を保持する保持部とを備え、本体は、流路を形成する流路形成部を有し、保持部は、本体における流路形成部が設けられた位置と対応する位置に設けられる。【選択図】図６
2014203751.tif 000002
【特許請求の範囲】
【請求項１】
蓄電素子と、
該蓄電素子に並んで配置される隣接部材と
を備え、
該隣接部材は、
前記蓄電素子と面対向する本体と、
該本体から前記蓄電素子側に延出する延出部と、
該延出部の先端側に設けられる保持部であって、前記本体と協働して前記蓄電素子を保持する保持部と
を備え、
前記本体は、流路を形成する流路形成部を有し、
前記保持部は、前記本体における前記流路形成部が設けられた位置と対応する位置に設けられる
蓄電モジュール。
【請求項２】
前記流路形成部は、前記本体の両面に設けられ、該両面で互いに位置をずらして配置される
請求項１に記載の蓄電モジュール。
【請求項３】
前記保持部の厚さは、前記流路形成部の長さ以下である
請求項１又は請求項２に記載の蓄電モジュール。
【請求項４】
前記保持部における該保持部が延出する方向と交差する方向の長さは、同方向における前記流路形成部の長さ以下である
請求項２に記載の蓄電モジュール。
【請求項５】
前記蓄電素子間に配置されるスペーサと、
前記蓄電素子及び前記スペーサを挟み込む終端部材と
を備える
請求項１乃至請求項４のいずれか１項に記載の蓄電モジュール。
【請求項６】
前記隣接部材は、前記蓄電素子間に配置されるスペーサである
請求項１乃至請求項４のいずれか１項に記載の蓄電モジュール。
【請求項７】
前記延出部は、前記本体における前記流路形成部から該流路形成部が形成する溝の反対側から延出する
請求項１乃至請求項６のいずれか１項に記載の蓄電モジュール。
【請求項８】
前記延出部は、
延出部本体と、
該延出部本体の先端から部分的に突出した凸状部であって、蓄電素子を超えて延出した凸状部と
を有し、
該凸状部は、前記本体における前記流路形成部が設けられた位置と対応する位置に設けられ、
前記保持部は、前記凸状部に連結されている
請求項１乃至請求項７のいずれか１項に記載の蓄電モジュール。
【発明の詳細な説明】
【技術分野】
【０００１】
本発明は、電池セル（単電池）やキャパシタなどの蓄電素子と、該蓄電素子に並んで配置される隣接部材とを備える蓄電モジュールに関する。
【背景技術】
【０００２】
蓄電モジュールは、蓄電素子と、該蓄電素子に並んで配置される隣接部材と、これらの蓄電素子及び隣接部材を一体的に保持するフレームとを備えている（特許文献１参照）。蓄電素子は、電極体と、該電極体を収容するケースとを備える。隣接部材は、蓄電素子のケースに隣接して配置される本体を備える。
【０００３】
一般的に、蓄電素子は充放電に伴って発熱するため、この種の蓄電モジュールは、蓄電素子のケースに沿って気体や液体等の冷却媒体を流通させる流路を備える。これに伴い、この種の蓄電モジュールの隣接部材の本体は、流路を形成した流路形成部を複数備える。
【０００４】
ところで、この種の蓄電モジュールにおいて、隣接部材が隣り合う蓄電素子を保持する保持部を有する場合がある。具体的には、隣接部材は、蓄電素子と面対向する本体と、該本体から蓄電素子側に延出する延出部と、該延出部の先端側に設けられる保持部であって、本体と協働して蓄電素子を保持する保持部とを備える。そして、隣接部材は、本体の溝形成部を蓄電素子の一方の面に当接し、該蓄電素子の一方の面と反対側の他方の面に保持部を当接させて、蓄電素子を挟んで保持する。しかし、ケースに沿って設けられる流路上の一部又は全部に保持部が重複することがある。よって、保持部が流路を遮ってしまうことがある。その結果、蓄電モジュールの冷却効率が低下する。
【先行技術文献】
【特許文献】
【０００５】
【特許文献１】特開２０１２−０６４３５６号公報
【発明の概要】
【発明が解決しようとする課題】
【０００６】
そこで、本発明は、蓄電素子を冷却する冷却媒体の流路を遮ることなく、蓄電素子を保持しつつ、蓄電素子に対する冷却性能を確保できる蓄電モジュールを提供することを課題とする。
【課題を解決するための手段】
【０００７】
本発明に係る蓄電モジュールは、
蓄電素子と、
該蓄電素子に並んで配置される隣接部材と
を備え、
該隣接部材は、
蓄電素子と面対向する本体と、
該本体から蓄電素子側に延出する延出部と、
該延出部の先端側に設けられる保持部であって、本体と協働して蓄電素子を保持する保持部と
を備え、
本体は、流路を形成する流路形成部を有し、
保持部は、本体における流路形成部が設けられた位置と対応する位置に設けられる。
【０００８】
かかる構成によれば、隣接部材に蓄電素子を保持させることにより、隣接部材の本体と面対向する蓄電素子の一方の面と、隣接部材の流路形成部との間に流路が形成される。蓄電素子の他方の面に面対向する他の隣接部材の流路形成部が設けられた位置には、保持部が配置されている。この他の隣接部材と蓄電素子との間にも流路が形成される。しかし、保持部は、本体における流路形成部が設けられた位置と対応する位置であって、他の隣接部材の流路形成部のある位置に設けられ、つまり、他の隣接部材による流路を避けた位置に配置される。そのため、保持部が流路上に重複して配置されにくい。よって、冷却媒体の流れは、保持部によって妨げられず、蓄電モジュールの冷却性能を確保することができる。
【０００９】
また、本発明に係る蓄電モジュールの一態様として、
流路形成部は、本体の両面に設けられ、該両面で互いに位置をずらして配置される
ようにすることができる。
【００１０】
かかる構成によれば、本体の両面に流路形成部が設けられる。蓄電素子が本体の両面にそれぞれ配置されることにより、隣接部材が保持する一方の蓄電素子と該一方の蓄電素子と面対向する本体の一方の面の流路形成部との間に第一の流路が形成される。また、他方の蓄電素子と該他方の蓄電素子と面対向する本体の他方の面の流路形成部との間に第二の流路が形成される。この第二の流路は、本体における第一の流路が形成された位置とずれた位置に設けられる。保持部は、他の隣接部材における第一の流路を形成する流路形成部に重複する位置に配置される。保持部は、第一の流路及び第二の流路の妨げとなりにくい位置に配置される。そのため、冷却媒体の流れは、保持部によって妨げられず、蓄電モジュールの冷却性能を確保することができる。
【００１１】
この場合、
保持部における該保持部が延出する方向と交差する方向の長さは、同方向における流路形成部の長さ以下である
ようにすることができる。
【００１２】
かかる構成によれば、保持部が流路形成部からはみ出にくくなる。そのため、流路形成部に対して位置をずらして配置される別の流路形成部が形成する流路に保持部を重複しないように配置することができ、蓄電モジュールの冷却性能を確保することができる。
【００１３】
また、本発明に係る蓄電モジュールの他態様として、
保持部の厚さは、流路形成部の厚さ以下である
ようにすることができる。
【００１４】
かかる構成によれば、保持部が流路形成部の厚さ方向にはみ出にくくなる。そのため、該流路形成部が形成する流路に保持部が重複しないように配置することができ、蓄電モジュールの冷却性能を確保することができる。
【００１５】
また、本発明に係る蓄電モジュールの別の態様として、
蓄電素子間に配置されるスペーサと、
蓄電素子及びスペーサを挟み込む終端部材と
を備える
ようにすることができる。
【００１６】
かかる構成によれば、本体側に流路形成部が寄っても、この流路形成部と重複した位置に保持部が配置され、保持部は、流路を避けて配置される。
【００１７】
また、本発明に係る蓄電モジュールの更に別の態様として、
隣接部材は、蓄電素子間に配置されるスペーサである
ようにすることができる。
【００１８】
かかる構成によれば、スペーサは、蓄電素子間に配置され、隣り合う蓄電素子との間に流路を形成して、該蓄電素子を冷却することができる。
【００１９】
また、本発明に係る蓄電モジュールの更に別の態様として、
延出部は、本体における流路形成部から該流路形成部が形成する溝の反対側から延出する
ようにすることができる。
【００２０】
かかる構成によれば、延出部は、本体の溝と蓄電素子との間に形成される流路に重複しないように配置され、蓄電モジュールの冷却性能を確保することができる。
【００２１】
また、本発明に係る蓄電モジュールの更に別の態様として、
延出部は、
延出部本体と、
該延出部本体の先端から部分的に突出した凸状部であって、蓄電素子を超えて延出した凸状部と
を有し、
該凸状部は、本体における流路形成部が設けられた位置と対応する位置に設けられ、
保持部は、凸状部に連結されている
ようにすることができる。
【００２２】
かかる構成によれば、延出部は、延出部本体の先端から部分的に突出した凸状部が蓄電素子を超えて流路形成部に重複するように配置され、流路に重複しないように配置される。延出部本体は、蓄電素子を超えて延出しないため、流路に重複しない位置に配置されている。そのため、蓄電モジュールの冷却性能が確保される。
【発明の効果】
【００２３】
以上のように、本発明によれば、蓄電素子を冷却する冷却媒体の流路を遮ることなく、蓄電素子を保持しつつ、蓄電素子に対する冷却性能を確保できるという優れた効果を奏し得る。
【図面の簡単な説明】
【００２４】
【図１】図１は、本発明に係る蓄電モジュールの一実施形態である電池モジュールの斜視図を示す。
【図２】図２は、同電池モジュールの正面図を示す。
【図３】図３は、同電池モジュールの分解斜視図を示す。
【図４】図４は、電池セルとスペーサとが複数整列された状態の縦断面図を示す。
【図５】図５は、スペーサをスペーサ本体の一方の面側から見た側面図を示す。
【図６】図６は、スペーサをスペーサ本体の一方の面側から見た斜視図を示す。
【図７】図７は、スペーサをスペーサ本体の他方の面側から見た斜視図を示す。
【発明を実施するための形態】
【００２５】
以下、本発明に係る蓄電モジュールの一実施形態である電池モジュールについて、図面を参酌しつつ説明する。
【００２６】
図１〜図３に示すように、電池モジュール１は、一列に整列される複数の電池セル３と、隣り合う電池セル３間及び整列方向における複数の電池セル３の両側にそれぞれ並んで配置される複数のスペーサ５と、複数の電池セル３及び複数のスペーサ５を保持するフレーム７と、複数の電池セル３の電圧、電流又は温度の少なくとも一つを電池セル３毎に監視するセル監視回路（ＣＭＵ：Cell Monitor Unit）モジュール９とを備えている。本発明の「蓄電素子」は、本実施形態における電池セル３である。本発明の「隣接部材」は、本実施形態におけるスペーサ５である。
【００２７】
なお、以下においては、便宜上、第一方向をＺ方向（各図に示された直交軸のうちのＺ軸方向）といい、第一方向と直交する第二方向をＹ方向（各図に示された直交軸のうちのＹ軸方向）といい、第一方向及び第二方向と直交する第三方向をＸ方向（各図に示された直交軸のうちのＸ軸方向）という。各図においては、Ｘ方向、Ｙ方向、Ｚ方向のそれぞれ一方側に対し、Ｘ、Ｙ、Ｚの記号を付している。なお、Ｚ方向が鉛直方向に置かれた場合、Ｚ方向は上下方向となり、Ｙ方向は左右方向、Ｘ方向は前後方向となる。
【００２８】
電池セル３は、図３に示すように、電極体と、該電極体を収容するケース３０を備えている。ケース３０は、開口部を有するケース本体３１と、該ケース本体３１の開口部を塞いで密閉する蓋体３２とを備える。ケース３０内には、互いに絶縁された正極板と負極板とを含む電極体（図示せず）が収容されている。電池セル３は、Ｘ方向に扁平な角形電池である。
【００２９】
電池セル３は、正負極一対の電極端子３３を備えている。隣り合う電池セル３は、極性が反対となるように配置されている。隣り合う電池セル３の電極端子３３には、バスバー３４が取り付けられる。その上で、電極端子３３には、ナットが螺合される。これにより、複数の電池セル３は、電気的に接続され、一つの電池を構成する。
【００３０】
スペーサ５は、合成樹脂製であり、絶縁性を有している。スペーサ５は、電池セル３と面対向する（本発明の本体としての）スペーサ本体５０と、該スペーサ本体５０からＸ方向に延出し、Ｘ方向において該スペーサ本体５０と対向する電池セル３の外周端部を保持する保持体５１とを備えている。電池セル３のケース３０がＸ方向から見ると矩形状であるのに対応して、スペーサ本体５０は、矩形状に形成されている。保持体５１は、スペーサ本体５０の四つの角部に対向して形成された角部保持部５２と、スペーサ本体５０の三辺のそれぞれ中央部に形成された角部間保持部５３とを備えている。
【００３１】
なお、本実施形態に係る電池モジュール１では、電池セル３間に隙間が形成されている。この隙間に空気が流通することで、電池セル３が冷却される。つまり、電池モジュール１の冷却方式は、空冷式である。空冷式の電池モジュール１のスペーサ５は、空気の流路を確保するために設けられている。このスペーサ５のスペーサ本体５０は、矩形波形状の断面形状を有する。
【００３２】
スペーサ本体５０は、図４〜図７に示すように、Ｙ方向に延びる溝状の流路を形成する流路形成部５４を有する。流路形成部５４は、スペーサ本体５０の両面においてＺ方向にそれぞれの位置を互いにずらして配置される。流路形成部５４は、Ｙ方向における一端から該一端と反対側の他端まで連続して該Ｙ方向に延びる。流路形成部５４は、Ｚ方向に二つ以上配置されている。具体的には、図４に示すように、流路形成部５４は、スペーサ本体５０の一方の面（図４の左方向）に４本設けられており、他方の面（図４の右方向）に３本設けられている。
【００３３】
流路形成部５４は、溝部５４０を形成する。流路形成部５４は、スペーサ本体５０を凹凸成形することにより、複数形成されている。流路形成部５４は、この溝部５４０と該溝部５４０と面対向する電池セル３のケース本体３１の側面との間に流路を形成する。この流路は、外気（空気）を流す風路となる。スペーサ本体５０は、溝部５４０が形成された一方の面と、該一方の面と反対側の他方の面とを有する。流路形成部５４の他方の面側は、凸条５４１に形成されている。凸条５４１は、該凸条５４１と対向する別の電池セル３のケース本体３１の側面に当接する。この別の電池セル３は、溝部５４０と対向する電池セル３とは異なる電池セル３である。スペーサ本体５０の一方の面に設けられた流路形成部５４の（Ｚ方向における）隣には、スペーサ本体５０の他方の面に設けられた流路形成部５４の凸条５４１が配置される。つまり、スペーサ本体５０の一方の面には、溝部５４０と、凸条５４１（の後述する頂部５４４）とが交互に配置されている。他方の面も同様である。
【００３４】
溝部５４０は、スペーサ本体５０のＹ方向に略一定幅で延びる底部５４２と、該底部５４２の長手方向の縁から電池セル３に向かって延出する一対の内壁部５４３とを備える。底部５４２と、一対の内壁部５４３と、電池セル３のケース本体３１の側面とは、断面視矩形状の流路を形成する。
【００３５】
凸条５４１は、頂部５４４と、該頂部５４４を支持する側壁部５４５とを備える。頂部５４４は、ケース本体３１の側面に面接触する。側壁部５４５は、隣り合う電池セル３との間の距離を一定に保つために頂部５４４を支持する。
【００３６】
これらの流路形成部５４は、スペーサ本体５０の両側にそれぞれ面対向する電池セル３のうち、いずれか一方の電池セル３との間に流路を形成する。一方の面に設けられた溝部５４０と一方の電池セル３との間に第一の流路が形成される。第一の流路は、一方の電池セル３を冷却する。他方の面に設けられた溝部５４０と他方の電池セル３との間に第二の流路が形成される。第二の流路は、他方の電池セル３を冷却する。この第一の流路と第二の流路とは、隣り合う電池セル３，３間に互い違いに配置される。
【００３７】
角部保持部５２は、図６及び図７に示すように、電池セル３を安定して拘束すべく、電池セル３のケース３０の中央を中心とした二つの対角位置（四隅）に配置され、電池セル３のケース３０の四隅を保持する。角部保持部５２は、スペーサ本体５０の角部におけるＹ方向及びＺ方向の直交端縁からＸ方向の一方側及び他方側の両側に延出する。角部保持部５２の内面は、電池セル３の外周端部のうち、角部に当接するようになっている。これらの内面は、壁状（平板状）に形成されている。角部保持部５２は、冷却媒体が流路以外に流れるのを阻止する。
【００３８】
角部保持部５２は、図５〜図７に示すように、電池セル３の上側の一対の角部に当接する一対の上側角部保持部５２Ａと、電池セル３の一対の下側の角部及び底面に当接する下側角部保持部５２Ｂとを備える。一対の上側角部保持部５２Ａは、スペーサ本体５０のＹ方向の一端及び他端の上端側の縁に設けられる。下側角部保持部５２Ｂは、スペーサ本体５０のＹ方向における一端の下端側から底面を介してスペーサ本体５０の他端の下端側に亘る縁に設けられる。角部保持部５２は、隣り合う電池セル３を位置決めする位置決め部として機能する。
【００３９】
角部間保持部５３は、スペーサ本体５０の頂部（頂辺）の中央箇所に設けられた頂部保持部５３Ａと、スペーサ本体５０の左右の側部（側辺）の中央箇所に設けられた第一側部保持部５３Ｂ及び第二側部保持部５３Ｃとを備えている。
【００４０】
頂部保持部５３Ａ、第一側部保持部５３Ｂ及び第二側部保持部５３Ｃのそれぞれは、Ｘ方向（の電池セル３側に）に延出する延出片５３０を有する。延出片５３０は、壁状に形成されており、具体的には、一様に平坦に形成されている。第一側部保持部５３Ｂの延出片５３０は、延出部本体５３０ａと、該延出部本体５３０ａの先端から部分的に突出した凸状部５３０ｂとを有する。延出部本体５３０ａは、電池セル３のケース３０に面対向する部分であり、凸状部５３０ｂは、電池セル３のケース３０を超えて延出した部分である。凸状部５３０ｂは、スペーサ本体５０における流路形成部５４が設けられた位置と対応する位置に設けられる。凸状部５３０ｂのＺ方向の長さ（幅）は、流路形成部５４と同じ又は略同じである。第一側部保持部５３Ｂの延出片５３０は、Ｘ方向における長さが電池セル３のＸ方向における厚み寸法と略同じ長さとなるように延出している。第二側部保持部５３Ｃの延出片５３０は、Ｘ方向における長さが電池セル３のＸ方向における厚み寸法よりも短くなるように延出している。本発明の「延出部」は、本実施形態における延出片５３０である。
【００４１】
頂部保持部５３Ａ及び第一側部保持部５３Ｂのそれぞれは、延出片５３０の先端部（第一側部保持部５３Ｂの場合は、凸状部５３０ｂ）に、内側に突出する突片５３１を備えている。突片５３１は、スペーサ本体５０と協働して電池セル３を挟持して保持する。頂部保持部５３Ａの突片５３１は、スペーサ本体５０の下方に向かって突出している。第一側部保持部５３Ｂの突片５３１は、スペーサ本体５０における流路形成部５４が設けられた位置と対応する位置に設けられる。
【００４２】
第一側部保持部５３Ｂの突片５３１のＸ方向における厚さは、図５に示すように、流路形成部５４における電池セル３に当接する領域のＸ方向の厚さと同じである。スペーサ５が電池セル３を保持している状態において、突片５３１は、電池セル３の側面に圧接している。そのため、突片５３１が電池セル３の側面からＸ方向に出っ張る長さは、突片５３１の厚さに相当する。
【００４３】
突片５３１におけるＺ方向（流路が延びる方向と交差する方向）の長さは、流路形成部５４の幅以下である。第一側部保持部５３Ｂの突片５３１は、第二側部保持部５３Ｃに向かって突出している。第二側部保持部５３Ｃは、延出片５３０の先端部に、内側に突出する突起５３２を備えている。本発明の「保持部」は、本実施形態における突片５３１である。
【００４４】
延出片５３０は、スペーサ本体５０における流路形成部５４から該流路形成部５４が形成する溝部５４０の反対側から延出する。延出片５３０は、スペーサ本体５０における流路形成部５４の溝部５４０を避けた位置から延出するように形成される。また、第一側部保持部５３Ｂ及び第二側部保持部５３Ｃには、開口５３３が形成されている。開口５３３は、流路形成部５４によって形成される流路の出入り口に対応する第一側部保持部５３Ｂ及び第二側部保持部５３Ｃの位置を貫通して形成されている。延出片５３０を切り欠いた開口５３３は、溝部５４０の断面形状以上の開口面積を有する。つまり、開口５３３は、流路を塞がない位置に設けられている。そのため、開口５３３は、流路を通過する空気の流れの妨げとならない。また、この開口５３３により、電池セル３のケース３０の側面の一部が露出する。そのため、この開口５３３は、ケース３０の放熱を促し、電池セル３の側面を冷却する機能も兼ね備える。
【００４５】
図４は、スペーサ５が電池セル３を保持した状態を示している。また、図６及び図７にも示されているように、電池セル３の（ケース３０の）外周端部のうち、四つの角部のそれぞれは、角部保持部５２によって保持されている。頂部は、頂部保持部５３Ａによって保持されている。左右の側部は、第一側部保持部５３Ｂ及び第二側部保持部５３Ｃによって保持される。電池セル３の頂部のうち、頂部保持部５３Ａが延出する方向における面（電池セル３のケース３０におけるスペーサ本体５０との対向面とは反対側の面）には、頂部保持部５３Ａの突片５３１が係止されている。電池セル３の一方の側部のうち、第一側部保持部５３Ｂが延出する方向における面には、第一側部保持部５３Ｂの突片５３１が係止されている。電池セル３の他方の側部には、第二側部保持部５３Ｃの突起５３２が当接している。これらにより、電池セル３は、スペーサ５に保持され、スペーサ５と一体化されている。
【００４６】
フレーム７は、図１〜図３に示すように、Ｘ方向における複数の電池セル３の両側に配置され且つＸ方向において複数の電池セル３及び複数のスペーサ５を挟み込む一対の終端部材７０（いわゆるエンドプレート）と、該一対の終端部材７０同士を連結し、複数の電池セル３及び複数のスペーサ５を一体に緊締する連結部材７５とを備えている。つまり、電池セル３とスペーサ５とが一列に整列されている。そして、電池セル３とスペーサ５とは、直線上に積層された状態で、一端の終端部材７０に挟まれて電池積層方向に加圧されている。
【００４７】
終端部材７０は、例えば鋳造によって形成された、例えばアルミなどの金属製である。終端部材７０は、電池セル３と該電池セル３間に配置されるスペーサ５との最も外側に配列されて、スペーサ５及び電池セル３を圧接する。終端部材７０は、終端部材本体７１と、該終端部材本体７１の下部からＸ方向外方に突出する脚部７２とを備えている。スペーサ本体５０と同様、電池セル３のケース３０がＸ方向から見て矩形状であるのに対応して、終端部材本体７１は、矩形状に形成されている。
【００４８】
連結部材７５は、Ｙ方向における複数の電池セル３の両側に一対設けられている。すなわち、連結部材７５は、Ｙ方向の一方側から複数の電池セル３に対向配置される連結部材７５と、Ｙ方向の他方側から複数の電池セル３に対向配置される連結部材７５とを備えている。連結部材７５は、Ｘ方向に沿って延びて互いに間隔を有して平行する一対の横梁部７６（連結部）と、該一対の横梁部７６のＸ方向における一端部同士及び他端部同士を連結する一対の縦梁部７７とを備える。連結部材７５は、全体として、矩形の枠形状を呈している。連結部材７５の一対の横梁部７６は、電池セル３及びスペーサ５のＸ方向に沿う面における、電池セル３のケース３０の中央を中心とした二つの対角位置（四隅）の近傍に配置されている。
【００４９】
セル監視回路モジュール９は、セル監視回路（図示しない）を回路ケース９０に収容したものである。回路ケース９０は、開口部を有するケース本体９１と、該ケース本体９１の開口部を塞いで密閉する蓋体９２とを備えている。
【００５０】
以上の構成からなる電池モジュール１は、以下のようにして組み立てられる。つまり、図３に示すように、まず、間にスペーサ５が配置されつつ複数の電池セル３が積層される。一端及び他端にある電池セル３の外側にもスペーサ５が配置される。さらにその両側に一対の終端部材７０が配置される。一対の終端部材７０間にＸ方向の圧縮力が掛けられた状態で、一対の連結部材７５が複数の電池セル３にＹ方向から配置される。そして、連結部材７５の各貫通孔に挿通されたボルト８５のネジ部が終端部材７０の各雌ネジに螺入され、複数の電池セル３及び複数のスペーサ５がフレーム７とともに一体化される。その後、セル監視回路モジュール９が複数の電池セル３にＺ方向から配置されて取り付けられる。このようにして、電池モジュール１は、完成する。
【００５１】
以上の構成からなる電池モジュール１では、スペーサ５に電池セル３を保持させることにより、スペーサ５のスペーサ本体５０と面対向する電池セル３の一方の面と、スペーサ５の流路形成部５４との間に流路が形成される。電池セル３の他方の面に面対向する他のスペーサ５の流路形成部５４が設けられた位置には、突片５３１が配置されている。この他のスペーサ５と電池セル３との間にも流路が形成される。しかし、突片５３１は、スペーサ本体５０における流路形成部５４が設けられた位置と対応する位置であって、他のスペーサ５の流路形成部５４のある位置に設けられ、つまり、他のスペーサ５による流路を避けた位置に配置される。そのため、突片５３１が流路上に重複することはない。要するに、突片５３１が流路以外の位置に設けられることにより、流路を遮りにくくなる。そして、冷却媒体の流れは、突片５３１によって妨げられず、蓄電モジュール１の冷却性能を確保することができる。
【００５２】
また、スペーサ本体５０の両面に流路形成部５４が設けられる。このため、電池セル３がスペーサ本体５０の両面にそれぞれ配置されることにより、スペーサ５が保持する一方の電池セル３と該一方の電池セル３と面対向するスペーサ本体５０の一方の面の流路形成部５４との間に第一の流路が形成される。また、他方の電池セル３と該他方の電池セル３と面対向するスペーサ本体５０の他方の面の流路形成部５４との間に第二の流路が形成される。この第二の流路は、スペーサ本体５０における第一の流路が形成された位置とずれた位置に設けられる。突片５３１は、他のスペーサ５における第一の流路を形成する流路形成部５４に重複する位置に配置される。突片５３１は、第一の流路及び第二の流路の妨げとなりにくい位置に配置される。そのため、冷却媒体の流れは、突片５３１によって妨げられず、蓄電モジュール１の冷却性能を確保することができる。
【００５３】
また、突片５３１における該突片５３１が延出する方向と交差する方向の長さは、同方向における流路形成部５４の長さ以下である。このため、突片５３１が流路形成部５４からはみ出にくくなる。そのため、流路形成部５４に対して位置をずらして配置される別の流路形成部５４が形成する流路に突片５３１を重複しないように配置することができ、蓄電モジュール１の冷却性能を確保することができる。
【００５４】
また、突片５３１の厚さは、流路形成部５４の厚さ以下である。このため、突片５３１が流路形成部５４の厚さ方向にはみ出にくくなり、該流路形成部５４が形成する流路に突片５３１が重複しないように配置することができ、蓄電モジュール１の冷却性能を確保することができる。
【００５５】
また、終端部材７０が電池セル３と該電池セル３間に配置されるスペーサ５とを圧接することにより、電池セル３にスペーサ５のスペーサ本体５０の流路形成部５４を密に当接させ、スペーサ本体５０側に流路形成部５４が寄っても、この流路形成部５４と重複した位置に突片５３１が配置され、突片５３１は、流路を避けて配置される終端部材７０は、最も端にある電池セル３との間に流路を形成して、該電池セル３を冷却することができる。そして、終端部材７０が電池セル３を加圧することにより、スペーサ５間の距離や電池セル３間の距離が短くなる。特に各電池セル３を予め位置決めせずに、電池セル３を加圧する電池モジュール１においては、これらの距離が短くなる可能性が高い。この場合であっても、突片５３１の厚さがスペーサ５のスペーサ本体５０の厚さ以下にすることにより、流路を塞ぐことはない。また、スペーサ５は、電池セル３間に配置され、隣り合う電池セル３との間に流路を形成して、該電池セル３を冷却することができる。
【００５６】
また、延出片５３０は、スペーサ本体５０における流路形成部５４から該流路形成部５４が形成する溝部５４０の反対側から延出する。このため、延出片５３０は、スペーサ本体５０の溝部５４０と電池セル３との間に形成される流路に重複しないように配置され、蓄電モジュール１の冷却性能を確保することができる。
【００５７】
また、延出片５３０は、延出部本体５３０ａと、該延出部本体５３０ａの先端から部分的に突出した凸状部５３０ｂであって、電池セル３を超えて延出した凸状部５３０ｂとを有する。延出部５３０は、延出部本体５３０ａの先端から部分的に突出した凸状部５３０ｂが電池セル３を超えて流路形成部５４に重複するように配置され、流路に重複しないように配置される。延出部本体５３０ａは、電池セル３を超えて延出しないため、流路に重複しない位置に配置されている。そのため、蓄電モジュール１の冷却性能が確保される。
【００５８】
尚、本発明に係る蓄電モジュールは、上記実施形態に限定されるものではなく、本発明の要旨を逸脱しない範囲で種々の変更が可能である。
【００５９】
例えば、上記実施形態においては、隣接部材として、スペーサ５が設けられている。しかしながら、これに限定されるものではない。隣接部材は、終端部材であってもよい。
【００６０】
また、上記実施形態においては、第一側部保持部５３Ｂの突片５３１の厚さは、流路形成部５４における電池セル３に当接する領域の厚さと同じである。しかしながら、これに限定されるものではない。突片（保持部）の厚さは、流路形成部における蓄電素子に当接する領域の厚さ以下であることが好ましい。
【００６１】
また、上記実施形態においては、凸状部５３０ｂ及び突片５３１が延出部本体５３０ａにあけられた開口５３３ごとに設けられている。しかしながら、これに限定されるものではない。凸状部及び突片は、延出部本体にあけられたすべての開口に対応して設けられていなくてもよい。
【００６２】
また、上記実施形態においては、溝形成部としての流路形成部５４は、スペーサ本体５０の両面に設けられている。しかしながら、これに限定されるものではない。溝形成部は、本体の一方の面のみに設けられていてもよい。
【００６３】
また、上記実施形態においては、流路は、空気を通す風路である。しかしながら、これに限定されるものではない。流路には、空気以外の冷却媒体を通すものが含まれる。
【００６４】
また、上記実施形態においては、リチウムイオン二次電池について説明した。しかしながら、電池の種類や大きさ（容量）は任意である。
【００６５】
また、本発明は、リチウムイオン二次電池に限定されるものではない。本発明は、種々の二次電池、その他、一次電池や、電気二重層キャパシタ等のキャパシタにも適用可能である。
【符号の説明】
【００６６】
１…電池モジュール（蓄電モジュール）、３…電池セル（蓄電素子）、３０…ケース、３１…ケース本体、３２…蓋体、３３…電極端子、３４…バスバー、５…スペーサ（隣接部材）、５０…スペーサ本体（本体）、５１…保持体、５２…角部保持部（位置決め部）、５２Ａ…上側角部保持部、５２Ｂ…下側角部保持部、５３…角部間保持部、５３Ａ…頂部保持部、５３Ｂ…第一側部保持部、５３Ｃ…第二側部保持部、５３０…延出片（延出部）、５３０ａ…延出部本体、５３０ｂ…凸状部、５３１…突片（保持部）、５３２…突起、５３３…開口、５４…流路形成部、５４０…溝部、５４２…底部、５４３…内壁部、５４１…凸条、５４４…頂部、５４５…側壁部、７…フレーム、７０…終端部材、７１…終端部材本体、７２…脚部、７５…連結部材、７６…横梁部、７７…縦梁部、８５…ボルト、９…セル監視回路（ＣＭＵ）モジュール、９０…回路ケース、９１…ケース本体、９２…蓋体
【図１】
2014203751.tif 000003
【図２】
2014203751.tif 000004
【図３】
2014203751.tif 000005
【図４】
2014203751.tif 000006
【図５】
2014203751.tif 000007
【図６】
2014203751.tif 000008
【図７】
2014203751.tif 000009